(57)【要約】時分割多元接続／符号分割多元接続ハイブリッド型の無線通信システムにおいて、タイムスロットのセットに割り当てるために、ユーザサービスの物理チャネル（７２）が提供される。タイムスロットセットの各タイムスロットについて、干渉の程度を判定する。フラグメンテーションパラメータ（７４）が提供される。フラグメンテーションパラメータは、複数のタイムスロットにユーザサービスの物理チャネルをフラグメンテーションすることについての優先度を表す。タイムスロットセットの各タイムスロットに関連付けられた、測定された干渉と、フラグメンテーションパラメータとを使用して、タイムスロットセットの１つにユーザサービスの物理チャネルを割り当てる（７６）。
2004527969.tif 000002
【特許請求の範囲】
【請求項１】
時分割多元接続／符号分割多元接続ハイブリッド型の無線通信システムにおいてタイムスロットにユーザサービスの物理チャネルを割り当てる方法であって、
行われる可能性のある割り当てのためにタイムスロットのセットを提供するステップと、
前記タイムスロットのセットそれぞれの干渉の程度を判定するステップと、
ユーザサービスの物理チャネルを複数のタイムスロットにフラグメンテーションすることの優先度を表すフラグメンテーションパラメータを提供するステップと、
前記タイムスロットのセットそれぞれに関連付けられた前記測定された干渉と、前記フラグメンテーションパラメータとを使用して、前記タイムスロットのセットの１つに前記ユーザサービスの物理チャネルを割り当てるステップと
を含むことを特徴とする方法。
【請求項２】
前記ユーザサービスは、コード複合トランスポートチャネル（ＣＣＴｒＣＨ）に関連付けられ、前記ＣＣＴｒＣＨは、タイムスロットに割り当てる複数の物理チャネルを有することを特徴とする請求項１に記載の方法。
【請求項３】
前記干渉の測定は、干渉信号コードパワー（ＩＳＣＰ）を使用して測定することを特徴とする請求項１に記載の方法。
【請求項４】
前記フラグメンテーションパラメータの値は、前記ユーザサービスに使用されるタイムスロットの数に関して変動することを特徴とする請求項１に記載の方法。
【請求項５】
前記フラグメンテーションパラメータは、値が低いと、そのフラグメンテーションパラメータの数のタイムスロットに割り当てることが好適であることを示し、値が高いと、そのフラグメンテーションパラメータの数のタイムスロットに割り当てることが好ましくないことを示すことを特徴とする請求項４に記載の方法。
【請求項６】
前記フラグメンテーションパラメータの値は、全体的な干渉レベルおよび能力に部分的に基づくことを特徴とする請求項４に記載の方法。
【請求項７】
前記フラグメンテーションパラメータの値が無限であると、そのフラグメンテーションパラメータの数のタイムスロットに割り当てることが禁止されることを示すことを特徴とする請求項４に記載の方法。
【請求項８】
ＣUEが、ユーザサービスに関連付けられるタイムスロットの最大数であり、ユーザサービスのチャネルをｊ個のタイムスロットに割り当てると前記フラグメンテーションパラメータがＰjになり、インクリメンタルなペナルティ値はｐであり、Ｐjは、
【数１】
2004527969.tif 000007
によって求められることを特徴とする請求項７に記載の方法。
【請求項９】
ｐは３ｄＢであることを特徴とする請求項８に記載の方法。
【請求項１０】
時分割多元接続／符号分割多元接続ハイブリッド型の無線通信システムで使用する無線ネットワークコントローラ（ＲＮＣ）であって、前記ＲＮＣは、ユーザサービスの物理チャネルをタイムスロットのセットの１つに割り当て、
前記タイムスロットのセットそれぞれの干渉の測定値を受信するように構成された入力を有し、前記タイムスロットのセットそれぞれに関連付けられた前記干渉の測定値と、フラグメンテーションパラメータとを使用して、前記時間スロッセットの１つに前記ユーザサービスの物理チャネルを割り当てる無線リソース管理（ＲＲＭ）デバイスであって、前記フラグメンテーションパラメータは、ユーザサービスの物理チャネルを複数のタイムスロットにフラグメンテーションすることの優先度を表す無線リソース管理（ＲＲＭ）デバイス
を備えることを特徴とする無線ネットワークコントローラ。
【請求項１１】
前記干渉の測定値を含む測定値を収集し、前記干渉の測定値を前記ＲＲＭデバイスに出力する測定収集デバイスをさらに含むことを特徴とする請求項１０に記載のＲＮＣ。
【請求項１２】
前記ユーザサービスは、コード複合トランスポートチャネル（ＣＣＴｒＣＨ）に関連付けられた、前記ＣＣＴｒＣＨは、タイムスロットに割り当てる複数の物理チャネルを有することを特徴とする請求項１１に記載のＲＮＣ。
【請求項１３】
前記干渉の測定値は、干渉信号コードパワー（ＩＳＣＰ）を使用して測定することを特徴とする請求項１１に記載のＲＮＣ。
【請求項１４】
前記フラグメンテーションパラメータの値は、前記ユーザサービスに使用されるタイムスロットの数に関して変動することを特徴とする請求項１１に記載のＲＮＣ。
【請求項１５】
前記フラグメンテーションパラメータは、値が低いと、そのフラグメンテーションパラメータの数のタイムスロットに割り当てることが好適であることを示し、値が高いと、そのフラグメンテーションパラメータの数のタイムスロットへの割り当てが好ましくないことを示すことを特徴とする請求項１４に記載のＲＮＣ。
【請求項１６】
前記フラグメンテーションパラメータの値は、全体的な干渉レベルおよび能力に部分的に基づくことを特徴とする請求項１４に記載のＲＮＣ。
【請求項１７】
前記フラグメンテーションパラメータの値が無限であると、そのフラグメンテーションパラメータの数のタイムスロットに割り当てることが禁止されることを示すことを特徴とする請求項１４に記載のＲＮＣ。
【請求項１８】
ＣUEが、ユーザサービスに関連付けられるタイムスロットの最大数であり、ユーザサービスのチャネルをｊ個のタイムスロットに割り当てる場合は前記フラグメンテーションパラメータがＰjになり、インクリメンタルなペナルティ値はｐであり、Ｐjは、
【数２】
2004527969.tif 000008
によって求められることを特徴とする請求項１７に記載のＲＮＣ。
【請求項１９】
ｐは３ｄＢであることを特徴とする請求項１８に記載のＲＮＣ。
【請求項２０】
時分割多元接続／符号分割多元接続ハイブリッド型の無線通信システムで使用する無線ネットワークコントローラ（ＲＮＣ）であって、前記ＲＮＣは、タイムスロットのセットの１つにユーザサービスの物理チャネルを割り当て、
前記タイムスロットのセットそれぞれについての干渉の測定値を受信する手段と、
前記タイムスロットのセットそれぞれに関連付けられた前記干渉の測定値と、フラグメンテーションパラメータとを使用して、前記時間スロッセットの１つに前記ユーザサービスの物理チャネルを割り当てる手段であって、前記フラグメンテーションパラメータは、ユーザサービスの物理チャネルを複数のタイムスロットにフラグメンテーションすることの優先度を表す手段と
を備えることを特徴とするＲＮＣ。
【請求項２１】
前記ユーザサービスは、コード複合トランスポートチャネル（ＣＣＴｒＣＨ）に関連付けられ、前記ＣＣＴｒＣＨは、タイムスロットに割り当てる複数の物理チャネルを有することを特徴とする請求項２０に記載のＲＮＣ。
【請求項２２】
前記干渉の測定値は、干渉信号コードパワー（ＩＳＣＰ）を使用して測定することを特徴とする請求項２０に記載のＲＮＣ。
【請求項２３】
前記フラグメンテーションパラメータの値は、前記ユーザサービスに使用されるタイムスロットの数に関して変動することを特徴とする請求項２０に記載のＲＮＣ。
【請求項２４】
前記フラグメンテーションパラメータは、値が低いと、そのフラグメンテーションパラメータの数のタイムスロットに割り当てることが好適であることを示し、値が高いと、そのフラグメンテーションパラメータの数のタイムスロットに割り当てることが好適でないことを示すことを特徴とする請求項２３に記載のＲＮＣ。
【請求項２５】
前記フラグメンテーションパラメータの値は、全体的な干渉レベルおよび能力に部分的に基づくことを特徴とする請求項２３に記載のＲＮＣ。
【請求項２６】
前記フラグメンテーションパラメータの値が無限であると、そのフラグメンテーションパラメータの数のタイムスロットに割り当てることが禁止されることを示すことを特徴とする請求項２３に記載のＲＮＣ。
【請求項２７】
ＣUEが、ユーザサービスに関連付けられるタイムスロットの最大数であり、ユーザサービスのチャネルをｊ個のタイムスロットに割り当てると前記フラグメンテーションパラメータがＰjになり、インクリメンタルなペナルティ値はｐであり、Ｐjは、
【数３】
2004527969.tif 000009
によって求められることを特徴とする請求項２６に記載のＲＮＣ。
【請求項２８】
時分割多元接続／符号分割多元接続ハイブリッド型の無線通信システムにおいてタイムスロットに物理チャネルを割り当てる方法であって、
割り当てのための物理チャネルを提供するステップと、
行われる可能性のある割り当てのためにタイムスロットのセットを提供するステップと、
前記タイムスロットのセットそれぞれの品質に基づいて、前記タイムスロットのセットをシーケンスに並べるステップと、
前記シーケンスのタイムスロットの順序で、前記タイムスロットに前記提供された物理チャネルを割り当てるステップと
を含むことを特徴とする方法。
【請求項２９】
前記提供される物理チャネルは、ユーザサービスの物理チャネルであることを特徴とする請求項２８に記載の方法。
【請求項３０】
前記提供される物理チャネルは、コード複合トランスポートチャネル（ＣＣＴｒＣＨ）の物理チャネルであることを特徴とする請求項２８に記載の方法。
【請求項３１】
前記各タイムスロットの品質は、そのチャネルに割り当てる前記提供される物理チャネルの干渉測定値と許可された数とに部分的に基づくことを特徴とする請求項２８に記載の方法。
【請求項３２】
前記タイムスロットのセットそれぞれに関連付けられた前記干渉の測定値と許可された数とに関連付けられた重みを変化させることにより、前記タイムスロットのセットを複数のシーケンスに並べ、前記割り当てはシーケンスごとに行われ、前記方法はさらに、
前記シーケンスのうち割り当てが成功したシーケンスについて、前記割り当てられたシーケンスの全体的な干渉とフラグメンテーションとに部分的に基づいて、前記割り当てが成功したシーケンスのうち最も品質が高いシーケンスを判定するステップ
を含むことを特徴とする請求項３１に記載の方法。
【請求項３３】
前記タイムスロットのセットをシーケンスに並べることは、前記セットの各スロットの性能指数を使用し、前記性能指数は、前記セットのスロットごとに、そのスロットと干渉が最小のスロットとの干渉測定値の差と、そのタイムスロットにおいて前記提供される物理チャネルに許可された物理チャネルの数とを含むことを特徴とする請求項３１に記載の方法。
【請求項３４】
前記干渉測定値の差と前記許可された物理チャネルの数とに関連付けられた重みを変化させることにより、前記タイムスロットのセットを複数のシーケンスに並べ、前記割り当てはシーケンスごとに行われ、前記方法はさらに、
前記シーケンスのうち割り当てが成功したシーケンスについて、前記割り当てられたシーケンスの全体的な干渉とフラグメンテーションに部分的に基づいて、前記割り当てが成功したシーケンスのうち最も品質が高いシーケンスを判定するステップ
を含むことを特徴とする請求項３３に記載の方法。
【請求項３５】
前記各タイムスロットの品質が、部分的には、そのスロットの送信電力とそのタイムスロットに割り当てることを許可された前記提供される物理チャネルの数とに基づく、ダウンリンクの物理チャネル割り当てで使用することを特徴とする請求項２８に記載の方法。
【請求項３６】
前記送信電力と前記タイムスロットのセットそれぞれに関連付けられた許可された数とに関連付けられた重みを変化させることにより、前記タイムスロットのセットを複数のシーケンスに並べ、前記割り当てはシーケンスごとに行われ、前記方法はさらに、
前記シーケンスのうち割り当てが成功したシーケンスについて、前記割り当てられたシーケンスの全体的な干渉とフラグメンテーションとに部分的に基づいて、前記割り当てが成功したシーケンスのうち最も品質が高いシーケンスを判定するステップ
を含むことを特徴とする請求項３５に記載の方法。
【請求項３７】
前記タイムスロットのセットをシーケンスに並べるステップでは前記セットの各スロットの性能指数を使用し、前記性能指数は、前記セットのスロットごとに、そのスロットと送信電力が最低のスロットとの送信電力の差と、そのタイムスロットにおいて前記提供される物理チャネルに許される物理チャネルの数とを含むことを特徴とする請求項３５に記載の方法。
【請求項３８】
前記送信電力の差と前記許可された数とに関連付けられた重みを変化させることにより前記タイムスロットのセットを複数のシーケンスに並べ、前記割り当てはシーケンスごとに行われ、前記方法はさらに、
前記シーケンスのうち割り当てが成功したシーケンスについて、前記シーケンスの全体的な干渉とフラグメンテーションとに部分的に基づいて、前記割り当てが成功したシーケンスのうち最も品質が高いシーケンスを判定するステップ
を含むことを特徴とする請求項３７に記載の方法。
【請求項３９】
時分割多元接続／符号分割多元接続ハイブリッド型の無線通信システムで使用する無線ネットワークコントローラ（ＲＮＣ）であって、タイムスロットのセットに物理チャネルのセットを割り当て、
前記タイムスロットのセットそれぞれの品質に基づいて、前記タイムスロットのセットをシーケンスに並べ、前記シーケンスのタイムスロットの順序で前記物理チャネルのセットを前記タイムスロットに割り当てる無線リソース管理（ＲＲＭ）デバイス
を備えることを特徴とするＲＮＣ。
【請求項４０】
前記物理チャネルのセットは、ユーザサービスの物理チャネルであることを特徴とする請求項３９に記載のＲＮＣ。
【請求項４１】
前記物理チャネルのセットは、コード複合トランスポートチャネル（ＣＣＴｒＣＨ）の物理チャネルであることを特徴とする請求項４０に記載のＲＮＣ。
【請求項４２】
前記各タイムスロットの品質は、そのチャネルに割り当てる前記提供される物理チャネルの干渉の測定値と許可された数とに部分的に基づくことを特徴とする請求項３９に記載のＲＮＣ。
【請求項４３】
前記タイムスロットセットそれぞれに関連付けられた前記干渉の測定値と許可された数とに関連付けられた重みを変化させることにより、前記タイムスロットのセットを複数のシーケンスに並べ、前記割り当てはシーケンスごとに行われ、前記方法はさらに、
前記シーケンスのうち割り当てが成功したシーケンスについて、前記割り当てられたシーケンスの全体的な干渉とフラグメンテーションとに部分的に基づいて、前記割り当てが成功したシーケンスのうち最も品質が高いシーケンスを判定するステップ
を含むことを特徴とする請求項４２に記載のＲＮＣ。
【請求項４４】
前記タイムスロットのセットをシーケンスに並べることは、前記セットの各スロットの性能指数を使用し、前記性能指数は、前記セットのスロットごとに、そのスロットと干渉が最小のスロットとの干渉測定値の差と、そのタイムスロットにおいて前記物理チャネルのセットに許可された物理チャネルの数とを含むことを特徴とする請求項４２に記載のＲＮＣ。
【請求項４５】
前記干渉測定値の差と許可された物理チャネル数とに関連付けられた重みを変化させることにより、前記タイムスロットのセットを複数のシーケンスに並べ、前記割り当てはシーケンスごとに行われ、前記ＲＮＣはさらに、前記シーケンスのうち割り当てが成功したシーケンスについて、前記割り当てられたシーケンスの全体的な干渉とフラグメンテーションに部分的に基づいて、前記割り当てが成功したシーケンスのうち最も品質が高いシーケンスを判定することを特徴とする請求項４４に記載のＲＮＣ。
【請求項４６】
各タイムスロットの品質が、そのスロットの送信電力と、その物理チャネルに割り当てることを許可された前記提供される物理チャネルの数とに部分的に基づく、ダウンリンクの物理チャネル割り当てに使用することを特徴とする請求項３９に記載のＲＮＣ。
【請求項４７】
前記タイムスロットのセットそれぞれに関連付けられた前記送信電力と許可された数とに関連付けられた重みを変化させることにより、前記タイムスロットのセットを複数のシーケンスに並べ、前記割り当てはシーケンスごとに行われ、前記ＲＮＣは、前記シーケンスのうち割り当てが成功したシーケンスについて、前記割り当てられたシーケンスの全体的な干渉とフラグメンテーションとに部分的に基づいて、前記割り当てが成功したシーケンスのうち最も品質が高いシーケンスを判定することを特徴とする請求項４６に記載のＲＮＣ。
【請求項４８】
前記タイムスロットのセットをシーケンスに並べるステップでは前記セットの各スロットの性能指数を使用し、前記性能指数は、前記セットのスロットごとに、そのスロットと送信電力が最低のスロットとの送信電力の差と、そのタイムスロットにおいて前記物理チャネルのセットに許される物理チャネルの数とを含むことを特徴とする請求項４７に記載のＲＮＣ。
【請求項４９】
前記送信電力の差と前記許可された数とに関連付けられた重みを変化させることにより、前記タイムスロットのセットを複数のシーケンスに並べ、前記割り当てはシーケンスごとに行われ、前記ＲＮＣは、前記シーケンスのうち割り当てが成功したシーケンスについて、前記シーケンスの全体的な干渉とフラグメンテーションとに部分的に基づいて、前記割り当てが成功したシーケンスのうち最も品質が高いシーケンスを判定することを特徴とする請求項４８に記載のＲＮＣ。
【請求項５０】
時分割多元接続／符号分割多元接続ハイブリッド型の無線通信システムで使用する無線ネットワークコントローラ（ＲＮＣ）であって、タイムスロットのセットに物理チャネルのセットを割り当て、
前記タイムスロットのセットそれぞれの品質に基づいて、前記タイムスロットのセットをシーケンスに並べる手段と、
前記シーケンスのタイムスロットの順序で、前記タイムスロットに前記物理チャネルのセットを割り当てる手段と
を備えることを特徴とするＲＮＣ。
【請求項５１】
前記物理チャネルのセットは、ユーザサービスの物理チャネルであることを特徴とする請求項５０に記載のＲＮＣ。
【請求項５２】
前記物理チャネルのセットは、コード複合トランスポートチャネル（ＣＣＴｒＣＨ）の物理チャネルであることを特徴とする請求項５１に記載のＲＮＣ。
【請求項５３】
前記各タイムスロットの品質は、そのチャネルに割り当てる前記提供される物理チャネルの干渉の測定値と許可された数とに部分的に基づくことを特徴とする請求項５０に記載のＲＮＣ。
【請求項５４】
前記タイムスロットセットそれぞれに関連付けられた前記干渉の測定値と許可された数とに関連付けられた重みを変化させることにより、前記タイムスロットのセットを複数のシーケンスに並べ、前記割り当てはシーケンスごとに行われ、前記方法はさらに、
前記シーケンスのうち割り当てが成功したシーケンスについて、前記割り当てられたシーケンスの全体的な干渉とフラグメンテーションとに部分的に基づいて、前記割り当てが成功したシーケンスのうち最も品質が高いものを判定するステップ
を含むことを特徴とする請求項５２に記載のＲＮＣ。
【請求項５５】
前記タイムスロットのセットをシーケンスに並べるステップは、前記セットの各スロットの性能指数を使用し、前記性能指数は、前記セットの各スロットごとに、そのスロットと干渉が最小のスロットとの干渉測定値の差と、そのタイムスロットにおいて前記物理チャネルのセットに許可された物理チャネルの数とを含むことを特徴とする請求項５２に記載のＲＮＣ。
【請求項５６】
前記干渉測定値の差と許可された物理チャネルの数とに関連付けられた重みを変化させることにより前記タイムスロットのセットを複数のシーケンスに並べ、前記割り当てはシーケンスごとに行われ、前記ＲＮＣはさらに、
前記シーケンスのうち割り当てが成功したシーケンスについて、割り当てられたシーケンスの全体的な干渉とフラグメンテーションに部分的に基づいて、前記割り当てが成功したシーケンスのうち最も品質が高いものを判定する手段
を備えることを特徴とする請求項５５に記載のＲＮＣ。
【請求項５７】
各タイムスロットの品質が部分的には、そのスロットの送信電力と、そのタイムスロットに割り当てることを許可された前記提供される物理チャネルの数とに基づく、ダウンリンクの物理チャネル割り当てで使用することを特徴とする請求項５０に記載のＲＮＣ。
【請求項５８】
前記タイムスロットのセットそれぞれに関連付けられた前記送信電力と許可された数とに関連付けられた重みを変化させることにより前記タイムスロットのセットを複数のシーケンスに並べ、前記割り当てはシーケンスごとに行われ、前記ＲＮＣは、前記シーケンスのうち割り当てが成功したシーケンスについて、前記割り当てられたシーケンスの全体的な干渉とフラグメンテーションとに部分的に基づいて、前記割り当てが成功したシーケンスのうち最も品質が高いシーケンスを判定することを特徴とする請求項５７に記載のＲＮＣ。
【請求項５９】
前記送信電力の差と前記許可された数とに関連付けられた重みを変化させることにより前記タイムスロットのセットを複数のシーケンスに並べ、前記割り当てはシーケンスごとに行われ、前記ＲＮＣはさらに、
前記シーケンスのうち割り当てが成功したシーケンスについて、前記シーケンスの全体的な干渉とフラグメンテーションとに部分的に基づいて、前記割り当てが成功したシーケンスのうち最も品質が高いシーケンスを判定する手段
を備えることを特徴とする請求項５８に記載のＲＮＣ。
【請求項６０】
時分割多元接続／符号分割多元接続ハイブリッド型の無線通信システムにおいて、新規ユーザサービスの物理チャネルをタイムスロットのセットに割り当てる方法であって、
前記タイムスロットのセットのタイムスロットシーケンスを提供するステップと、
前記新規ユーザサービスの物理チャネルそれぞれに求められる受信品質に基づいて、前記新規ユーザサービスの物理チャネルを順序付けるステップと、
前記順序付けと前記タイムスロットシーケンスとに基づいて、前記タイムスロットのセットに前記新規ユーザサービスの物理チャネルを割り当てるステップと
を含むことを特徴とする方法。
【請求項６１】
前記順序付けは、前記順序が求められる受信頻度が高い順によるように行われることを特徴とする請求項６０に記載の方法。
【請求項６２】
前記求められる受信品質は、要求される信号対混信比であることを特徴とする請求項６０に記載の方法。
【請求項６３】
前記タイムスロットのシーケンスは、品質の高い順に並べられることを特徴とする請求項６０に記載の方法。
【請求項６４】
前記新規ユーザサービスの物理チャネルは、コード複合トランスポートチャネル（ＣＣＴｒＣＨ）の物理チャネルであることを特徴とする請求項６０に記載の方法。
【請求項６５】
時分割多元接続／符号分割多元接続ハイブリッド型の無線通信システムで使用する無線ネットワークコントローラ（ＲＮＣ）であって、タイムスロットのセットに新規ユーザサービスの物理チャネルを割り当て、
前記タイムスロットのセットのタイムスロットシーケンスを提供し、前記新規ユーザサービスの物理チャネルそれぞれに求められる受信品質に基づいて前記新規ユーザサービスの物理チャネルを順序付け、前記順序付けおよび前記タイムスロットシーケンスに基づいて、前記タイムスロットのセットに前記新規ユーザサービスの物理チャネルを割り当てる無線リソース管理デバイス
を備えることを特徴とするＲＮＣ。
【請求項６６】
前記順序付けは、前記順序が求められる受信頻度が高い順によるように行われることを特徴とする請求項６５に記載のＲＮＣ。
【請求項６７】
前記求められる受信品質は、要求される信号対混信比であることを特徴とする請求項６５に記載のＲＮＣ。
【請求項６８】
前記タイムスロットのシーケンスは、品質の高い順に並べられることを特徴とする請求項６５に記載のＲＮＣ。
【請求項６９】
前記新規ユーザサービスの物理チャネルは、コード複合トランスポートチャネル（ＣＣＴｒＣＨ）の物理チャネルであることを特徴とする請求項６５に記載のＲＮＣ。
【請求項７０】
時分割多元接続／符号分割多元接続ハイブリッド型の無線通信システムで使用する無線ネットワークコントローラ（ＲＮＣ）であって、タイムスロットのセットに新規ユーザサービスの物理チャネルを割り当て、
前記タイムスロットのセットのタイムスロットシーケンスを提供する手段と、
前記新規ユーザサービスの物理チャネルそれぞれに求められる受信品質に基づいて、前記新規ユーザサービスの物理チャネルを順序付ける手段と、
前記順序付けおよびタイムスロットシーケンスに基づいて、前記タイムスロットのセットに前記新規ユーザサービスの物理チャネルを割り当てる手段と
を備えることを特徴とするＲＮＣ。
【請求項７１】
前記順序付けは、前記順序が求められる受信頻度が高い順によるように行われることを特徴とする請求項７０に記載のＲＮＣ。
【請求項７２】
前記求められる受信品質は、要求される信号対混信比であることを特徴とする請求項７０に記載のＲＮＣ。
【請求項７３】
前記タイムスロットのシーケンスは、品質の高い順に並べられることを特徴とする請求項７０に記載のＲＮＣ。
【請求項７４】
前記新規ユーザサービスの物理チャネルは、コード複合トランスポートチャネル（ＣＣＴｒＣＨ）の物理チャネルであることを特徴とする請求項７０に記載のＲＮＣ。
【請求項７５】
時分割多元接続／符号分割多元接続ハイブリッド型の無線通信システムにおいて、物理チャネル再割り当ての順序を選択する方法であって、前記システムは、現在通信に物理チャネルを使用しており、前記方法は、
前記物理チャネルのセットそれぞれのフラグメンテーションのゲージを求めるステップであって、各物理チャネルについて、前記フラグメンテーションのゲージは、その物理チャネルのユーザサービスの他の物理チャネルとの関係で、その物理チャネルのタイムスロットにわたるフラグメンテーションを表すステップと、
部分的に各チャネルのフラグメンテーションのゲージに基づいて、最も低い品質から最も高い品質の順に再割り当てをする前記物理チャネルのセットの順序を選択するステップと
を含むことを特徴とする方法。
【請求項７６】
部分的に前記選択された順序に基づいて、前記物理チャネルのセットを割り当てるステップをさらに含むことを特徴とする請求項７５に記載の方法。
【請求項７７】
前記割り当てステップでは、品質が閾値を下回る物理チャネルのセットの物理チャネルだけを割り当てることを特徴とする請求項７６に記載の方法。
【請求項７８】
前記ユーザサービスは、コード複合トランスポートチャネル（ＣＣＴｒＣＨ）に関連付けられることを特徴とする請求項７５に記載の方法。
【請求項７９】
前記物理チャネルのセットそれぞれの前記フラグメンテーションのゲージＦＲは、
【数４】
2004527969.tif 000010
によって求められることを特徴とする請求項７６に記載の方法。
【請求項８０】
前記物理チャネルのセットはアップリンクの物理チャネルであり、前記物理チャネルのセットの順序を選択するステップは、前記物理チャネルのセットそれぞれの前記フラグメンテーションのゲージにのみ基づくことを特徴とする請求項７５に記載の方法。
【請求項８１】
前記物理チャネルのセットはダウンリンクの物理チャネルであり、前記物理チャネルのセットの順序を選択するステップは、部分的に、前記物理チャネルのセットそれぞれについて、その物理チャネルの干渉の測定値と前記フラグメンテーションのゲージに基づくことを特徴とする請求項７５に記載の方法。
【請求項８２】
前記物理チャネルのセットは、すべて１つのタイムスロットに関連付けられることを特徴とする請求項８０に記載の方法。
【請求項８３】
前記物理チャネルのセットは、すべての１つのタイムスロットに関連付けられることを特徴とする請求項８１に記載の方法。
【請求項８４】
時分割多元接続／符号分割多元接続ハイブリッド型の無線通信システムで使用する無線ネットワークコントローラ（ＲＮＣ）であって、前記ＲＮＣは、現在は通信用の物理チャネルを割り振っており、
前記物理チャネルのセットそれぞれのフラグメンテーションのゲージを判定する無線リソース管理（ＲＲＭ）デバイスであって、前記フラグメンテーションのゲージは、前記セットの物理チャネルごとに、その物理チャネルのユーザサービスの他の物理チャネルとの関係で、その物理チャネルのタイムスロットにわたるフラグメンテーションを表し、部分的に各チャネルのフラグメンテーションのゲージに基づいて、最も低い品質から最も高い品質の順に前記物理チャネルのセットを再割り当てする順序を選択するＲＲＭデバイスと
を備えることを特徴とするＲＮＣ。
【請求項８５】
前記ＲＲＭデバイスはさらに、部分的に前記選択された順序に基づいて、前記物理チャネルのセットを割り当てることを特徴とする請求項８４に記載のＲＮＣ。
【請求項８６】
前記割り当ては、物理チャネルのセットのうち品質が閾値を下回る物理チャネルだけを割り当てることを特徴とする請求項８５に記載のＲＮＣ。
【請求項８７】
前記ユーザサービスは、コード複合トランスポートチャネル（ＣＣＴｒＣＨ）に関連付けられることを特徴とする請求項８４に記載のＲＮＣ。
【請求項８８】
前記物理チャネルセットそれぞれの前記フラグメンテーションのゲージＦＲは、
【数５】
2004527969.tif 000011
によって求められることを特徴とする請求項８４に記載のＲＮＣ。
【請求項８９】
前記物理チャネルのセットはアップリンクの物理チャネルであり、前記物理チャネルのセットの順序を選択するステップは、前記物理チャネルセットそれぞれの前記フラグメンテーションのゲージのみに基づくことを特徴とする請求項８４に記載のＲＮＣ。
【請求項９０】
前記物理チャネルのセットはダウンリンクの物理チャネルであり、前記物理チャネルのセットの順序を選択するステップは、前記物理チャネルセットそれぞれについて、その物理チャネルの干渉の測定値とフラグメンテーションのゲージに部分的に基づくことを特徴とする請求項８４に記載のＲＮＣ。
【請求項９１】
前記物理チャネルのセットは、すべて１つのタイムスロットに関連付けられることを特徴とする請求項８９に記載のＲＮＣ。
【請求項９２】
前記物理チャネルのセットは、すべての１つのタイムスロットに関連付けられることを特徴とする請求項９０に記載のＲＮＣ。
【請求項９３】
時分割多元接続／符号分割多元接続ハイブリッド型の無線通信システムで使用する無線ネットワークコントローラ（ＲＮＣ）であって、前記ＲＮＣは、現在は通信に物理チャネルを使用しており、
前記物理チャネルのセットそれぞれのフラグメンテーションのゲージを判定する手段であって、前記フラグメンテーションのゲージは、その物理チャネルのユーザサービスの他の物理チャネルとの関係で、その物理チャネルのタイムスロットにわたるフラグメンテーションを表す手段と、
部分的に各チャネルのフラグメンテーションのゲージに基づいて、最も低い品質から最も高い品質の順に前記物理チャネルのセットを再割り当てする順序を選択する手段と
を備えることを特徴とするＲＮＣ。
【請求項９４】
部分的に前記選択された順序に基づいて、前記物理チャネルのセットを割り当てる手段をさらに備えることを特徴とする請求項９３に記載のＲＮＣ。
【請求項９５】
前記割り当ては、前記物理チャネルのセットのうち品質が閾値を下回る物理チャネルだけを割り当てることを特徴とする請求項９４に記載のＲＮＣ。
【請求項９６】
前記ユーザサービスは、コード複合トランスポートチャネル（ＣＣＴｒＣＨ）に関連付けられることを特徴とする請求項９３に記載のＲＮＣ。
【請求項９７】
前記物理チャネルセットそれぞれの前記フラグメンテーションのゲージＦＲは、
【数６】
2004527969.tif 000012
によって求められることを特徴とする請求項９４に記載のＲＮＣ。
【請求項９８】
前記物理チャネルのセットはアップリンクの物理チャネルであり、前記物理チャネルのセットの順序を選択するステップは、前記物理チャネルセットそれぞれの前記フラグメンテーションのゲージのみに基づくことを特徴とする請求項９３に記載のＲＮＣ。
【請求項９９】
前記物理チャネルのセットはダウンリンクの物理チャネルであり、前記物理チャネルのセットの順序を選択するステップは、前記物理チャネルのセットそれぞれについて、その物理チャネルの干渉の測定値とフラグメンテーションに部分的に基づくことを特徴とする請求項９３に記載のＲＮＣ。
【請求項１００】
前記物理チャネルのセットは、すべて１つのタイムスロットに関連付けられることを特徴とする請求項９８に記載のＲＮＣ。
【請求項１０１】
前記物理チャネルのセットは、すべての１つのタイムスロットに関連付けられることを特徴とする請求項９９に記載のＲＮＣ。
【請求項１０２】
時分割多元接続／符号分割多元接続ハイブリッド型の無線通信システムで高干渉レベルが生じているユーザサービスの物理チャネルを再割り当てする方法であって、
測定された干渉の高い順に前記ユーザサービスのタイムスロットを順序付けるステップと、
前記ユーザサービスの各物理チャネルに求められる受信品質の高い順のタイムスロット順序で、各タイムスロットの前記ユーザサービスの物理チャネルを順次評価し、再割り当てするステップと
を含むことを特徴とする方法。
【請求項１０３】
前記順次評価し、再割り当てするステップは、前記ユーザサービスの物理チャネルすべての平均の干渉があるパラメータによって改善されるまで行うことを特徴とする請求項１０２に記載の方法。
【請求項１０４】
前記求められる受信品質は、各物理チャネルの目標とする信号対混信比であることを特徴とする請求項１０２に記載の方法。
【請求項１０５】
時分割多元接続／符号分割多元接続ハイブリッド型の無線通信システムで使用する無線ネットワークコントローラ（ＲＮＣ）であって、
高干渉レベルが生じているユーザサービスについて、測定される干渉が高い順に前記ユーザサービスのタイムスロットを順序付け、前記ユーザサービスの各物理チャネルに求められる受信品質が高い順の前記タイムスロット順序で、各タイムスロットの前記ユーザサービスの物理チャネルを順次評価し、再割り当てする無線リソース管理（ＲＲＭ）デバイス
を備えることを特徴とするＲＮＣ。
【請求項１０６】
前記順次評価し、再割り当てするステップは、前記ユーザサービスの物理チャネルすべての平均の干渉があるパラメータによって改善されるまで行うことを特徴とする請求項１０５に記載のＲＮＣ。
【請求項１０７】
前記求められる受信品質は、各物理チャネルの目標とする信号対混信比であることを特徴とする請求項１０５に記載のＲＮＣ。
【請求項１０８】
時分割多元接続／符号分割多元接続ハイブリッド型の無線通信システムで使用する無線ネットワークコントローラ（ＲＮＣ）であって、
高干渉レベルが生じているユーザサービスについて、測定される干渉が高い順に前記ユーザサービスのタイムスロットを順序付ける手段と、
前記ユーザサービスの各物理チャネルに求められる受信品質が高い順のタイムスロット順序で、各タイムスロットの前記ユーザサービスの物理チャネルを順次評価し、再割り当てする手段と
を備えることを特徴とするＲＮＣ。
【請求項１０９】
前記順次評価し、再割り当てするステップは、前記ユーザサービスの物理チャネルすべての平均の干渉があるパラメータによって改善されるまで行うことを特徴とする請求項１０８に記載のＲＮＣ。
【請求項１１０】
前記求められる受信品質は、各物理チャネルの目標とする信号対混信比であることを特徴とする請求項１０８に記載のＲＮＣ。
【発明の詳細な説明】
【技術分野】
【０００１】
本発明は、一般には、ハイブリッド時分割多元接続(time division multiple acces)／符号分割多元接続(code division multiple access)の無線通信システムに関する。より詳細には、本発明は、そのようなシステムにおけるリソース管理(resource management)に関する。
【背景技術】
【０００２】
図１は、無線通信システムの物理的構成(physical layout)を示す。このシステムは、複数の基地局(base station)２０を有する。各基地局２０は、各自の動作範囲(operating area)すなわちセル(cell)２３内のユーザ機器（ＵＥ:user equipment）２２と通信する。基地局２０からＵＥ２２に送信される通信をダウンリンク通信(downlink communication)と呼び、ＵＥ２２から基地局２０に送信される通信をアップリンク通信(uplink communication)と呼ぶ。
【０００３】
無線通信システムのネットワーク図(perspective)を図２に示す。システム内の各ノードＢ２４は、関連付けられたＵＥ２２またはユーザと無線通信する。各ノードＢ２４は、単一または複数の基地局２０に関連付けられた単一のサイトコントローラ（ＳＣ:site controller）３４を有する。ノードＢ２４の群は、無線ネットワークコントローラ（ＲＮＣ:radio network controller）２８1に接続される。ＲＮＣ２８間で通信を転送(transfer)するには、ＲＮＣ間のインタフェース（ＩＵＲ）２６を利用する。各ＲＮＣ２８はモバイル交換センター（ＭＳＣ:mobile switching center）３０に接続され、ＭＳＣ３０はコアネットワーク(core network)３２に接続される。
【０００４】
符号分割多元接続（ＣＤＭＡ）通信システムでは、同じスペクトルで同時に複数の通信を送信することができる。複数の通信は各自のコードによって区別される。ＣＤＭＡを使用した時分割二重（ＴＤＤ:time division duplex）（ＴＤＤ／ＣＤＭＡ）などのハイブリッド時分割多元接続（ＴＤＭＡ）／ＣＤＭＡ通信システムでは、スペクトルを時分割して、例えば１５個のタイムスロット(time slot)を有する、反復フレーム(repeating frame)とする。そのようなシステムでは、通信は、選択されたコードを用いて選択されたタイムスロットで送信される。１つの物理チャネル(physical channel)は、１つのタイムスロットにおける１つのコード(one code in one time slot)として定義される。１６の拡散係数(spreading factor)を用いて単一のタイムスロットで単一のコード(single code)を使用することをリソースユニット(resource unit)と称する。このシステム内でユーザ（ＵＥ２２）に提供するサービスのタイプに応じて、１つまたは複数の物理チャネルを割り当てて、ユーザのアップリンクおよびダウンリンク通信をサポートすることが可能である。
【発明の開示】
【発明が解決しようとする課題】
【０００５】
そのようなシステムにおけるユーザへの物理チャネルの割り当て(assignment of physical channels)は複雑な問題である。あるタイムスロットに使用される各物理チャネルは、そのタイムスロットで用いられる他のチャネルに関して干渉(interference)を生じさせる。したがって、可能な限り干渉を抑えるようにタイムスロットを選択することが望ましい。
【０００６】
しかし、干渉だけに基づいてタイムスロットを選択することには不都合な点(drawback)がある。より少ないタイムスロットを使用して通信するＵＥ２２は、通例、電力消費がより低い。より少ない数のタイムスロットにコードをスタック(stack)することにより、他のタイムスロットが新規ユーザのために空く。また、一部のＵＥ２２は、１つまたは２つなど少ないタイムスロットしか使用できない場合がある。
【０００７】
したがって、ハイブリッド型のＴＤＭＡ／ＣＤＭＡ通信システムにおいて、効果的なリソース管理(effective resource management)を有することが望ましい。
【課題を解決するための手段】
【０００８】
ハイブリッド時分割多元接続／符号分割多元接続の無線通信システムにおいて、タイムスロットのセット(a set of time slots)に割り当てるための、ユーザサービスの物理チャネル(a physical channel of a user service)が提供される。タイムスロットの各セットについて、干渉の程度(measure of interference)を判定(determine)する。フラグメンテーションパラメータが提供される。フラグメンテーションパラメータ(fragmentation parameter)は、複数のタイムスロットにわたってユーザサービス物理チャネル(user service physical channel)を断片化(fragmenting)することについての優先度(preference)を表す。このユーザサービス物理チャネルは、タイムスロットの各セットに関連付けられた測定された干渉(measured interference)と、フラグメンテーションパラメータとを使用して、タイムスロットのセットの１つに割り当てられる。
【発明を実施するための最良の形態】
【０００９】
無線リソース管理（ＲＲＭ:radio resource management）は、許容できるリソース割り振り(acceptable resource allocation)において物理リソース(physical resource)をユーザ（ＵＥ２２）に割り振る(allocating)連続的なプロセスである。ＲＲＭは、すべてのユーザによるリソースユニットに対する総需要(aggregate demand)を考慮して、効率的な解決策(solution)を見つけるために使用される。
【００１０】
図３は、ＲＲＭに用いるＲＮＣ２８を簡略化した図である。ＲＮＣ２８は、ＲＲＭデバイス３６および測定収集デバイス(measurement collection device)３８を有する。測定収集デバイス３８は、ノードＢ２４およびＵＥ２２などネットワークの他の構成要素から各種の測定を収集する。この測定内容には、（アップリングおよびダウンリンク両方の）送信電力レベル、パスロス(pathloss)情報、およびその他の情報が含まれる。ＲＲＭデバイス３６は、それら他の構成要素に送信するリソースの効率的な割り当てを決定する際にこの測定結果を使用する。
【００１１】
図４は、ＲＲＭで使用するノードＢ２４を簡略化した図である。アンテナ４０は、ＵＥ２２から無線チャネルを通じて無線周波信号を受信する。受信した信号は、アイソレータ(isolator)４２を通じて受信機４６および測定デバイス(measurement device)４８に渡される。チャネル割り当てデバイス(channel assignment device)４４は、ＲＮＣ２８からチャネルの割り当てを受け取り、物理チャネルとタイムスロットを識別して受信機４６が送信データ(transmited data)を検出できるようにする。受信機４６は、マルチユーザ検出デバイス（ＭＵＤ:multiuser detection device）、ＲＡＫＥ、または別のタイプの受信機でよい。受信機４６は、測定情報(measurement information)などのＵＥ２２からのシグナルされた情報も回収(recover)し、その情報をＲＮＣ２８に中継する。
【００１２】
測定デバイス４８は、ノードＢ２４における干渉レベルや受信電力レベルなど各種の測定を行う。それらの測定結果もＲＮＣ２８に中継される。送信機５０は、チャネルの割り当てやノードＢの送信機２４の送信電力レベルなどのデータとシグナルされた情報をＵＥ２２に送信する。チャネル割り当てデバイス４４は、ノードＢの送信機５０の送信電力レベルを判定する。以下の説明では通常、開ループの電力制御アルゴリズムを参照するが、閉ループ、アウターループ(outer loop)、あるいは組み合せ(combination)など他の電力制御アルゴリズムを使用してもよい。チャネル割り当てデバイス４４は、増幅器５２の利得を制御して送信電力レベルを制御する。送信された信号は、アイソレータ４２を通過して、アンテナ４０によって拡散される。
【００１３】
図５は、ＲＲＭで使用するＵＥ２２を簡略化した図である。アンテナ５６は、無線チャネルを通じてノードＢ２４から無線周波信号を受信する。受信した信号は、アイソレータ５８を通じて受信機６６および測定デバイス６８に渡される。チャネル割り当て検出デバイス４４は、アップリンクとダウンリンク両方についてのＵＥのチャネル割り当てに関するシグナルされた情報を回収する。受信機６６は、マルチユーザ検出デバイス（ＭＵＤ）、ＲＡＫＥ、あるいは別のタイプの受信機でよい。
【００１４】
測定デバイス６８は、ＵＥ２２の干渉レベルや受信電力レベルなど各種の測定を行う。それらの測定結果も、ノードＢ２４に送信することによってＲＮＣ２８に中継される。送信機７０は、測定結果、パスロス情報、およびＵＥの送信器７０の送信電力レベルなどのデータおよびシグナルされた情報をノードＢ２４に送信する。送信電力コントローラ（ＴＰＣ:transmit power controller）６０は、ノードＢの送信機６０の送信電力レベルを決定する。ＴＰＣ６０は、増幅器６２の利得を制御して送信電力レベルを制御する。送信された信号は、アイソレータ５８を通過し、アンテナ５６によって拡散される。
【００１５】
ＴＤＤ／ＣＤＭＡシステムなどのＴＤＭＡ／ＣＤＭＡシステムでリソースユニットを割り当てる１手順では、高速動的チャネルアロケーション（Ｆ−ＤＣＡ:fast dynamic channel allocation）を使用する。Ｆ−ＤＣＡは、リソースユニットをユーザに割り当てるプロセスである。Ｆ−ＤＣＡは、通例、新しいサービスあるいは変更されたサービスが必要とされる場合、ユーザのハンドオーバが生じた場合、あるいは干渉レベルの変化が生じた場合に実行される。Ｆ−ＤＣＡに先立ち、どのスロットを割り当てのために許可するかについて最初の決定を行う。許可するタイムスロットは、干渉信号コードパワー（ＩＳＣＰ:interference signal code power）あるいはその他の要素によって測定した干渉の測定値(interference measurement)に基づくことができる。
【００１６】
Ｆ−ＤＣＡには３つの主要な役割がある。第１に、Ｆ−ＤＣＡは、最初の割り振り、ハンドオーバ、あるいはユーザリソースユニットの再構成のためにリソースユニットを決定するのに使用される。再構成は、別のユーザまたはユーザサービスが、より効率的なリソース割り振りを可能にするために終了された結果生じる可能性がある。第２に、Ｆ−ＤＣＡは、高い干渉が生じているか、あるいは要求されるサービス品質（ＱＯＳ:quality of service）を満たすことができないユーザまたはユーザサービスのためのエスケープ機構(escape mechanism)となる。第３に、Ｆ−ＤＣＡは、ＵＥおよびシステムのリソース使用を常に妥当なレベルに維持するためのツールとして使用される。リソースユニットの効率的な割り振りには競合する２つの利害関係がある。それは干渉の最小化(interference minimization)とフラグメンテーションである。ユーザによって認識される干渉レベルは可能な限り抑えることが望ましい。干渉を最小に抑えるとシステムの能力が増大する。干渉レベルを下げると、可用度が最も高いタイムスロット(most available time slot)にリソースユニットを拡散(spread)することができ、各タイムスロット当たりのリソースユニット数を減らすことができる。
【００１７】
しかし、複数のタイムスロットにわたるユーザのリソースユニットのフラグメンテーションを低減することも望ましい。使用するタイムスロットをより少なくするとＵＥの電力消費が低減し、その結果ＵＥのバッテリ寿命が延びる。フラグメンテーションを減らすことによっても、新しいユーザが利用可能なスロットが生じる。一部のＵＥ２２は、１つまたは２つのタイムスロットなど限られた数のタイムスロットでしか通信を処理することができない場合がある。そのようなＵＥ２２のためにはフラグメンテーションを減らすことが不可欠である。
【００１８】
図６は、フラグメンテーションパラメータを使用したチャネル割り当てのフローチャートである。あるＵＥ２２が新規加入(admittance)のため、新しいサービスのため、あるいは再割り当てのための単位の変化のためにリソースユニットを必要としている（７２）。ＲＲＭデバイス３６は、新しいサービスをサポートするためにＵＥ２２にリソースユニットを割り当てる必要がある。リソースユニットの割り当ては、３つのタイムスロットと１スロット当たり３つの物理チャネルなど、そのサービスのコード複合トランスポートチャネル（ＣＣＴｒＣＨ）に関連付けられたスロットの最大数または１スロット当たりの物理チャネルによって制限される可能性がある。ＣＣＴｒＣＨにリソースユニットを割り当てる際に、ＲＲＭデバイス３６は、利用可能なタイムスロットとそのスロット個々の干渉の測定結果を利用する。この情報に基づき、ＲＲＭデバイス３６は、多数のタイムスロットにリソースユニットを断片化(fragment)して全タイムスロットにおける干渉を低減しようとする性質を持つ。
【００１９】
この性質を低減するために、フラグメンテーションパラメータＰjを導入してＲＲＭデバイスのリソースユニット割り当てを調整する。このフラグメンテーションパラメータは、値が低いとそのタイムスロットにチャネルを割り当てることが好ましいことを示し、値が高いと割り当てが非常に好ましくないことを表すように設定することが好ましいが、他のパラメータ値を使用してもよい。Ｐjは、ＣＣＴｒＣＨをｊ個のタイムスロットに割り当てることについてのペナルティを表す（７４）。具体的には、１つのタイムスロットに割り当てられたＣＣＴｒＣＨのフラグメンテーションパラメータはＰ1になる。Ｐ1は、フラグメンテーションペナルティ(fragmentation penalty)がゼロまたは低いことを表す。２つのタイムスロットに割り当てられたＣＣＴｒＣＨのペナルティはＰ2となる。Ｐ2は、２つ目のタイムスロットを使用することについてのフラグメンテーションペナルティを表し、ペナルティがないことを示すＰ1と同じであるか、わずかに高く中程度のペナルティを示すか、あるいは第２のスロットへの割り当てが許可されないことを示す“無限の(infinite)”ペナルティを示すことができる。ＣＣＴｒＣＨにさらなるタイムスロットを用いると、フラグメンテーションペナルティＰ3．．．Ｐnが生じる。
【００２０】
フラグメンテーションパラメータの値は通例、オペレータまたは機械的デバイスによって設定される。フラグメンテーションパラメータの選択は、総合的な干渉レベルや能力などの各種の要素に基づく。３つのタイムスロットと１スロット当たり３つのチャネルしかサポートできないＣＣＴｒＣＨについてのフラグメンテーションペナルティの例を表１および２に示す。
【００２１】
2004527969.tif 000003
【００２２】
値ゼロは、フラグメンテーションにペナルティがないことを表す。１０の値は、１０ｄＢなど高いペナルティを表す。値∞は、それ以上のフラグメンテーションを妨げる“無限”のペナルティを表す。“無限”ペナルティは、非常に高い数である。表１の値は、１つのタイムスロットを使用することに対して強い優先度(preference)を表している。表２の値は、１つまたは２つのタイムスロットを使用することに対して強い優先度を表している。４つ以上のスロットの使用は禁止される。
【００２３】
これに代わる割り当て方式を式１に示す。
【００２４】
【数１】
2004527969.tif 000004
【００２５】
ＣUEは、ＣＣＴｒＣＨに許されるタイムスロットの最大数である。ｐは、３ｄＢなどインクリメンタルなペナルティ値である。ｐ＝３ｄＢ、ＣUE＝３の場合は、結果得られるフラグメンテーションパラメータは、Ｐ1＝０ｄＢ、Ｐ2＝３ｄＢ、Ｐ3＝６ｄＢ、およびＰ4．．．ＰN＝∞となる。ＲＲＭデバイス３６は、このフラグメンテーションパラメータと干渉の測定結果を使用してタイムスロットを割り当てる（７６）。
【００２６】
Ｆ−ＤＣＡの役割の１つは、リンクのセットアップ時にリソースユニットを決定することである。図７は、新しいＵＥ２２またはＵＥサービスにリソースユニットを割り当てるフローチャートである。物理チャネルをＣＣＴｒＣＨに割り当てる（７８）。干渉およびフラグメンテーションについての各タイムスロットの品質の推定を判断する。タイムスロットを品質の高い順に並べる（８０）。タイムスロットの品質測定の１つは、性能指数(figure of merit)であり、式４などにより定義される。
【００２７】
Ｆi＝−α・ΔＩi＋β・ｆ（Ｃi）                                  式４
【００２８】
Ｆiは、ｉ番目のタイムスロットの性能指数である。ΔＩiは、ＩＳＣＰを使用するなどして受信機でそのタイムスロットについて測定した干渉レベルと、すべてのタイムスロットについての最小の測定干渉との差である。その結果、測定された干渉が最低のタイムスロットはΔＩiがゼロになる。ｆ（Ｃi）は、ｉ番目のタイムスロットでＣＣＴｒＣＨに許される物理チャネルの数である。αおよびβは、重み係数である。
【００２９】
物理チャネルを割り当てるには、タイムスロットの様々なシーケンスを得る。１方式では、性能指数中の重みを変化させるなどして、干渉およびフラグメンテーションに与える重みを変化させる。利用可能なタイムスロットを順序付けたシーケンスは、性能指数中の重みを変え、タイムスロットを性能指数の高い順に並べることに基づいて決定される。１方式は以下の通りである。表３によるなどしてαおよびβを変えることにより、ｋ＋ｍ＋１個のシーケンスを得る。
【００３０】
2004527969.tif 000005
【００３１】
ｋは、試行する低フラグメンテーションシーケンス(low fragmentation sequence)の数である。ｋは通常、４、５、または６などの経験値(empirical value)である。ｍは、試行する低干渉シーケンスの数である。ｍも通常は、４、５、６などの経験値である。計算上の必要性を減らすために、冗長に判定されたシーケンスは排除することができる。
【００３２】
割り当てるチャネルは、信号対干渉比（ＳＩＲ:signal to interference）によるなど、各チャネルに求められる受信品質によって順序をつける（７８および図７Ａの９２）。ＳＩＲの使用を説明すると、割り当てるすべての物理チャネルを、各自に必要とされるＳＩＲの高い順に並べる。各シーケンスについて、そのシーケンス中のスロットの順序に基づいてスロットに物理チャネルを割り当てる。上述のｋ＋ｍ＋１個のシーケンスそれぞれについて、シーケンス中の最初のスロットから開始し、そのＵＥ２２が利用可能なチャネルが少なくとも１つある場合には、最初の物理チャネルを仮にそのタイムスロットに追加する。そのチャネルをそのタイムスロットに割り当てることができない場合は、次のタイムスロットを試し、これを最初のチャネルをいずれかのタイムスロットに割り当てるまで続ける。
【００３３】
最初のコードをタイムスロットに割り当てると、そのタイムスロットにおけるそのＣＣＴｒＣＨの雑音の増加と求められる送信電力レベルを推定する。雑音の増加と求められる送信電力レベルに基づいて、そのチャネルをそのタイムスロットでサポートできるかどうかを判定する。具体的には、自身の送信電力レベルの能力を上回るか、近すぎる送信機がある場合、または雑音の増加が閾値を上回る場合は、そのチャネルは追加することができない。
【００３４】
タイムスロットが物理チャネルを受け入れることが出来ない場合、そのタイムスロットはそれ以降の検討対象から排除する。そのタイムスロットを含まないようにタイムスロットシーケンスを更新する。そのチャネルをシーケンス中の次のタイムスロットに割り当てることを試みる。そのチャネルにタイムスロットが見つからない場合、そのシーケンスは失敗(fail)し、破棄(discard)される（８６）。そのチャネルがユーザの送信電力要件を満たす場合は、ＵＥ２２のフラグメンテーションペナルティを使用して、そのチャネルをそのタイムスロットに割り当てることが許容できるかどうかを判定する。例えば、あるＵＥ２２は、３つのタイムスロットしか使用することができない。そのコード割り当てが４つ目のタイムスロットを必要とする場合（Ｐ４＝∞）、その割り当ては許容できず、そのシーケンスは失敗し、破棄される（８６）。そのタイムスロットが許容できる場合、プロセスは進行して次のチャネルを同じタイムスロットに追加する。残るチャネルがなくなると、可能性のある割り当ての解決法を見つけて記録する（８４、８８）。
【００３５】
可能な各解決法について、それら物理チャネルについての、フラグメンテーションを調整した、予測される総干渉の測定などの最も品質が高い解決策を判定する（９０）。ＣＣＴｒＣＨの重みづけした干渉の推定は、各物理チャネルの干渉と、ＣＣＴｒＣＨ全体についてのフラグメンテーションペナルティとの合計である。記録された解決策のうち、フラグメンテーションが最も低くなるように調整された干渉レベルを有する解決策を使用してサービスに物理チャネルを割り当てる。
【００３６】
Ｆ−ＤＣＡの別の役割は、干渉を軽減するため、またはフラグメンテーションを低減する（スロットを詰める(pack slots)）ために物理チャネルを再割り当てすることであり、これは「バックグラウンド動作」と称される。再割り当ての要求は、ＵＥ３２がセッションを終了し、リソースを解放することなどが原因で生じる可能性がある。また、最初の全体的な割り当てが最適でなかった場合や、可動性または外部の原因による変化からも生じる場合がある。
【００３７】
アップリンクおよびダウンリンクのタイムスロットには別の方式を使用する。他のシステムでは、アップリンクおよびダウンリンクのタイムスロットを同じスロットに割り当てることができる。以下の説明では、アップリンクのタイムスロットとダウンリンクのタイムスロットが別個であるものとする。ただし、同じスロットでアップリンク送信とダウンリンク送信を送信するシステムでは、ダウンリンクについて記載する方式と同様の方式をすべてのスロットに使用する。
【００３８】
ダウンリンクの物理チャネルを再割り当てするために、ダウンリンクの物理チャネルごとに性能指数などの品質の推定を判定する（７８および図７Ｂの９４）。性能指数を判定する方式の１つは式６による。
【００３９】
Ｆi＝−τ・ΔＩi−δ・ＦＲ                                              式６
【００４０】
Ｆiは、ｉ番目のチャネルの性能指数である。ΔＩiは、そのタイムスロットにおけるｉ番目のチャネルについてのＩＳＣＰなどの測定された干渉と、測定された干渉が最も低いチャネルについて測定された干渉との差である。ＦＲは、物理チャネルのフラグメンテーションのゲージ(gauge of the fragmentation)である。ＦＲを求める式の１つは式７による。
【００４１】
【数２】
2004527969.tif 000006
【００４２】
τおよびδは、重み係数(weighing factor)である。
【００４３】
行われる可能性がある再割り当てのためのチャネルは、各自の品質によって順序付けて、品質の低い順にする。性能指数を用いて、性能指数が低い順にチャネルを並べる。再割り当ての複雑度を軽減する１方式は、性能指数が最も低い閾値数のコード（各シーケンスの最初のコード）のみを検討対象とするものである。あるいは閾値を使用してもよい。性能指数が閾値以下の物理チャネルのみを検討の対象とする。再割り当てのための各物理チャネルは、異なる形で扱う。あるチャネルの現在のタイムスロットよりも干渉の測定結果が低いタイムスロットがない場合、そのチャネルは再割り当てすることができない。そのチャネルを再割り当てしようとすると、単に、干渉がより高いタイムスロットの干渉が増大する。
【００４４】
再割り当てする物理チャネルを決定すると（７８）、性能指数の重みを変えるなどして干渉とフラグメンテーションの各種重み付けを調整した各スロットの品質に基づいて、利用可能なタイムスロットを順序付けてシーケンスとする。このシーケンスでは、性能指数の高い順など品質の高い順にタイムスロットを順序付ける。
【００４５】
性能指数を求める１方式は以下である。アップリンクについては、各スロットｉの性能指数は式８による。
【００４６】
Ｆi＝−αUL・ΔＩi＋βUL・ｆ（Ｃi）                                    式８
【００４７】
αULおよびβULは、ダウンリンクの重み係数である。各スロットｉの性能指数を式９により定義する。
【００４８】
Ｆi＝−αDL・ΔＴi＋βDL・ｆ（Ｃi）                                    式９
【００４９】
ここで、ΔＴiは，Ｔi−Ｔminと定義される。Ｔiは、測定されたノードＢのスロットｉにおけるスロット送信電力である。Ｔminは、すべてのダウンリンクスロットの中で最低のノードＢの送信電力である。アップリンク／ダウンリンクで、性能指数の低い順にタイムスロットを１つずつ調べる。
【００５０】
表３のようにαおよびβを変えることにより、ｋ＋ｍ＋１個のシーケンスを得る。シーケンスごとに、そのシーケンス中の最初のスロットから開始し、そのチャネルのＵＥ２２が利用可能なチャネルが少なくとも１つある場合には、再割り当てされる可能性のあるそのチャネルをそのタイムスロットに追加する。そのチャネルをそのタイムスロットに割り当てることができない場合は、次のタイムスロットを試し、あるタイムスロットにそのチャネルが割り当てられるまでこれを続ける（８２）。
【００５１】
チャネルをタイムスロットに割り当てると、そのタイムスロットにおけるＣＣＴｒＣＨの雑音の増加と必要とされる送信電力レベルを推定する。雑音の増加と求められる送信電力レベルに基づいて、そのチャネルをそのタイムスロットでサポートできるか否かを判定する。具体的には、自身の送信機電力能力を上回るか、近すぎる送信機がある場合、あるいは雑音の増加が閾値を上回る場合、そのチャネルは追加することができない。
【００５２】
タイムスロットがチャネルを受け入れることができない場合、そのタイムスロットは以降の検討対象から排除する。そのタイムスロットを含まないようにシーケンスを更新する。そのチャネルをシーケンス中の次のタイムスロットに割り当てることを試みる。そのチャネルにタイムスロットが見つからない場合、そのシーケンスは失敗する（８６）。
【００５３】
チャネルの再割り当てが送信電力要件を満たす場合は、フラグメンテーションペナルティを使用して、そのチャネルをそのタイムスロットに割り当てることが許容できるか否かを判定する。その割り当てが許容できない場合、そのシーケンスは失敗する（８６）。そのタイムスロットがそのコード割り当てに許容できる場合、そのシーケンス中の次のチャネルをそのタイムスロットに追加することを試み、割り当てプロセスは続行する。残るチャネルがなくなると（８４）、割り当ての解決策を見つけて、記録する（８８）。このプロセスを各タイムスロットシーケンスについて繰り返す。
【００５４】
記録された各解決策について、重みづけした干渉の改善を判定する（９０）。重みづけした干渉の改善は、フラグメンテーションを調整した提案される再割り当てについての全タイムスロットの推定される干渉と、フラグメンテーションを調整した、測定される現在の干渉との差である。最大の改善を伴う再割り当てを、再割り当ての限度と比較する。再割り当ての限度(reassignment margin)は、近接した２つの解決策のどちらにすべきか躊躇することをなくし、また全体的な改善が最小でしかない不必要な再割り当てを防止する。最も改善が著しい再割り当てが限度を上回る場合は、その再割り当てを開始する。
【００５５】
アップリンクのタイムスロットの場合は、あるタイムスロットの物理チャネルにはすべてその同じ干渉が生じるので、再割り当ての基準はフラグメンテーションのゲージＦＲとなる。ＦＲが高いとフラグメンテーションが高く、ＦＲが低いとフラグメンテーションが低いことになる。再割り当てのチャネルを最大のＦＲから最も低いＦＲの順に並べる（７８および図７Ｃの９６）。再割り当ての分析はすべてのチャネルに行うことができるが、ＦＲが高い閾値数のチャネルだけを選択することが好ましい。あるいは、ＦＲが閾値を超えるチャネルを選択する。候補チャネルを順序付けると、図７のダウンリンクの場合と同じように再割り当ての手順を行う。
【００５６】
この再割り当て手順の別の使用法の１つは、高い干渉が生じているユーザまたはユーザサービスにエスケープ機構を提供することである。ユーザサービスに高干渉が生じると、ＲＮＣ２８は、そのサービス、すなわちＣＣＴｒＣＨの一部またはすべてを再割り当てして干渉を低減しようとする。再割り当てを試みる前に、そのＣＣＴｒＣＨによって使用されているタイムスロット以外の、再割り当てを行う可能性のあるタイムスロットそれぞれの測定干渉を調べて、そのＣＣＴｒＣＨの測定干渉が最も高いタイムスロットよりも干渉が低いタイムスロットがあるかどうかを調べる。よりよいタイムスロットがない場合は、再割り当てを試みる理由がないことになる。
【００５７】
“良好でない(bad)”ＣＣＴｒＣＨに属するすべての物理チャネルを調べ、それらのチャネルすべてを選択する可能性も含めて、再割り当てするチャネルを選択する。干渉が高いスロットから低いスロットの順に再割り当てを試みる（図７Ｄの９８）。各スロットで、求められるＳＩＲが高い順に物理チャネルを再度割り当てる（図７Ｄの１００）。再割り当てする物理チャネルの数は、以下のようにして決定する。再割り当てを行うごとに、バックグラウンド動作として新しいスロットの干渉を計算または推定する。ＣＣＴｒＣＨ内のすべての物理チャネルの平均干渉を計算する。平均干渉(average interference)が一定デシベル数だけ低下した時点で再割り当てを停止する。このデシベル数は設計パラメータである。
【００５８】
割り当ての手順を簡略化する１方式は、平均の測定干渉が閾値を上回るタイムスロットを排除するものである。各タイムスロットの干渉を求めた後、干渉を閾値と比較する。この閾値は、アップリンクとダウンリンクで、またユーザごとに異なってよい。閾値を超えるタイムスロットは、行われる可能性のある割り当てから排除する。この閾値は、干渉レベルと能力の考慮に基づいて、オペレータまたは機械的デバイスによって設定される。
【図面の簡単な説明】
【００５９】
【図１】無線通信システムの物理的構成を示す図である。
【図２】無線通信システムのネットワーク構成を示す図である。
【図３】無線リソース管理を使用する無線ネットワークコントローラを簡略化した図である。
【図４】無線リソース管理を使用するノードＢを簡略化した図である。
【図５】無線リソース管理を使用するユーザ機器を簡略化した図である。
【図６】フラグメンテーションパラメータを使用したチャネル割り当て／再割り当てのフローチャートである。
【図７】チャネル割り当て／再割り当てを示すフローチャートである。
【図７Ａ】チャネル割り当て／再割り当てを示すフローチャートである。
【図７Ｂ】チャネル割り当て／再割り当てを示すフローチャートである。
【図７Ｃ】チャネル割り当て／再割り当てを示すフローチャートである。
【図７Ｄ】チャネル割り当て／再割り当てを示すフローチャートである。
【図１】
2004527969.tif 000013
【図２】
2004527969.tif 000014
【図３】
2004527969.tif 000015
【図４】
2004527969.tif 000016
【図５】
2004527969.tif 000017
【図６】
2004527969.tif 000018
【図７】
2004527969.tif 000019
【図７Ａ】
2004527969.tif 000020
【図７Ｂ】
2004527969.tif 000021
【図７Ｃ】
2004527969.tif 000022
【図７Ｄ】
2004527969.tif 000023
【国際公開パンフレット】
2004527969.tif 000024
2004527969.tif 000025
2004527969.tif 000026
2004527969.tif 000027
2004527969.tif 000028
2004527969.tif 000029
2004527969.tif 000030
2004527969.tif 000031
2004527969.tif 000032
2004527969.tif 000033
2004527969.tif 000034
2004527969.tif 000035
2004527969.tif 000036
2004527969.tif 000037
2004527969.tif 000038
2004527969.tif 000039
2004527969.tif 000040
2004527969.tif 000041
2004527969.tif 000042
2004527969.tif 000043
2004527969.tif 000044
2004527969.tif 000045
2004527969.tif 000046
2004527969.tif 000047
2004527969.tif 000048
2004527969.tif 000049
2004527969.tif 000050
2004527969.tif 000051
2004527969.tif 000052
2004527969.tif 000053
2004527969.tif 000054
2004527969.tif 000055
2004527969.tif 000056
2004527969.tif 000057
2004527969.tif 000058
2004527969.tif 000059
2004527969.tif 000060
2004527969.tif 000061
2004527969.tif 000062
2004527969.tif 000063
2004527969.tif 000064
2004527969.tif 000065
【国際調査報告】
2004527969.tif 000066
2004527969.tif 000067
2004527969.tif 000068